(57)【特許請求の範囲】
【請求項１】
モバイルデバイス(102、104、106)であって、
ユーザインターフェース(126)と、
前記モバイルデバイス(102、104、106)に関連するソーシャルプロファイル(302)をルータ(140)に送信して前記モバイルデバイス(102、104、106)を前記ルータ(140)に結合することを命令し、
前記ルータ(140)によって要求されたソーシャルネットワーク資格情報を送信して前記モバイルデバイス(102、104、106)を前記ルータ(140)に認証することを命令し、
前記ルータ(140)による認証に基づいて、前記ルータ(140)によって設定された制御規則(420)に従ってソーシャルネットワーク(160)へのアクセスを許可する
プロセッサ(112)と
を備え、
前記ルータ(140)が、前記送信されたソーシャルネットワーク資格情報に関連するソーシャルネットワークデータを取り出し、取り出された前記ソーシャルネットワークデータに基づいて前記モバイルデバイス(102、104、106)とのソーシャル関係を照合して、前記ソーシャル関係に基づいて前記モバイルデバイス(102、104、106)に制御規則(420)を割り当て、
前記ソーシャル関係は、前記ルータ(140)のソーシャルネットワークサーバ上の友人リスト、電子メールサーバ上の連絡先リスト、および、テキストサーバ上のフォローする人のリストのうちの少なくとも１つに、前記モバイルデバイス(102、104、106)が含まれているか否かを含む、
モバイルデバイス(102、104、106)。
【請求項２】
前記モバイルデバイス(102、104、106)がすでにソーシャルネットワーク(160)にログオンされている場合、ログイン資格情報が前記モバイルデバイス(102、104、106)から前記ソーシャルネットワーク(160)に直接渡される、請求項1に記載のモバイルデバイス(102、104、106)。
【請求項３】
前記モバイルデバイス(102、104、106)がまだソーシャルネットワーク(160)にログオンされていない場合、ユーザがログイン資格情報を入力することを許可されるように、前記ルータ(140)が前記モバイルデバイス(102、104、106)を前記ソーシャルネットワーク(160)にリダイレクトする、請求項2に記載のモバイルデバイス(102、104、106)。
【請求項４】
前記ルータ(140)が、ワイヤレスルータ(140)、有線ルータ(140)、または別のモバイルデバイス(102、104、106)のうちの少なくとも1つを含む、請求項1に記載のモバイルデバイス(102、104、106)。
【請求項５】
前記ルータ(140)が、概略的に短距離のワイヤレスホットスポットルータ(140)である、請求項1に記載のモバイルデバイス(102、104、106)。
【請求項６】
前記ソーシャルプロファイル(302)が、電話番号(304)、オープンID(306)、電子メールアドレス(308)、ウェブサイト上のアカウント(312)、またはユーザ名(314)のうちの少なくとも1つを含む、請求項1に記載のモバイルデバイス(102、104、106)。
【請求項７】
前記ソーシャルプロファイル(302)が、場所(316)、会議(318)、またはカレンダーイベント(320)のうちの少なくとも1つを含む、物理的なソーシャル相互作用を含む、請求項6に記載のモバイルデバイス(102、104、106)。
【請求項８】
前記ソーシャルネットワーク(160)が、複数のユーザアカウントを有するウェブサイトを含む、請求項6に記載のモバイルデバイス(102、104、106)。
【請求項９】
前記ルータ(140)によって設定された前記制御規則(420)に従って、別のモバイルデバイス(102、104、106)が前記ソーシャルネットワーク(160)へのアクセスを許可される、請求項1に記載のモバイルデバイス(102、104、106)。
【請求項１０】
前記モバイルデバイス(102、104、106)がソーシャルネットワーク資格情報に基づいて認証された後、前記モバイルデバイス(102、104、106)が任意のタイプのネットワークへのアクセスを許可される、請求項1に記載のモバイルデバイス(102、104、106)。
【請求項１１】
モバイルデバイス(102、104、106)のユーザがソーシャルネットワーク(160)にアクセスすることを可能にする方法であって、
前記モバイルデバイス(102、104、106)が、前記モバイルデバイス(102、104、106)に関連するソーシャルプロファイル(302)をルータ(140)に送信して前記モバイルデバイス(102、104、106)を前記ルータ(140)に結合するステップと、
前記モバイルデバイス(102、104、106)が、前記ルータ(140)によって要求されたソーシャルネットワーク資格情報を送信し、前記ルータ(140)が、前記モバイルデバイス(102、104、106)を認証するステップと、
前記ルータ(140)が、前記ルータ(140)による認証に基づいて、前記ルータ(140)によって設定された制御規則(420)に従って前記ソーシャルネットワーク(160)へのアクセスを許可するステップと
を含み、
前記ルータ(140)が、前記送信されたソーシャルネットワーク資格情報に関連するソーシャルネットワークデータを取り出し、取り出された前記ソーシャルネットワークデータに基づいて前記モバイルデバイス(102、104、106)とのソーシャル関係を照合して、前記ソーシャル関係に基づいて前記モバイルデバイス(102、104、106)に制御規則(420)を割り当て、
前記ソーシャル関係は、前記ルータ(140)のソーシャルネットワークサーバ上の友人リスト、電子メールサーバ上の連絡先リスト、および、テキストサーバ上のフォローする人のリストのうちの少なくとも１つに、前記モバイルデバイス(102、104、106)が含まれているか否かを含む、
方法。
【請求項１２】
前記モバイルデバイス(102、104、106)がすでにソーシャルネットワーク(160)にログオンされている場合、前記モバイルデバイス(102、104、106)が、前記モバイルデバイス(102、104、106)から前記ソーシャルネットワーク(160)にログイン資格情報を直接渡すステップをさらに含む、請求項11に記載の方法。
【請求項１３】
前記モバイルデバイス(102、104、106)がまだソーシャルネットワーク(160)にログオンされていない場合、前記ユーザがログイン資格情報を入力することを許可されるように、前記ルータ(140)が、前記モバイルデバイス(102、104、106)を前記ソーシャルネットワーク(160)にリダイレクトするステップをさらに含む、請求項11に記載の方法。
【請求項１４】
前記ルータ(140)が、ワイヤレスルータ(140)、有線ルータ(140)、または別のモバイルデバイス(102、104、106)のうちの少なくとも1つを含む、請求項11に記載の方法。
【請求項１５】
前記ルータ(140)が、概略的に短距離のワイヤレスホットスポットルータ(140)である、請求項11に記載の方法。
【請求項１６】
前記ソーシャルプロファイル(302)が、電話番号(304)、オープンID(306)、電子メールアドレス(308)、ウェブサイト上のアカウント(312)、またはユーザ名(314)のうちの少なくとも1つを含む、請求項11に記載の方法。
【請求項１７】
前記ソーシャルプロファイル(302)が、場所(316)、会議(318)、またはカレンダーイベント(320)のうちの少なくとも1つを含む、物理的なソーシャル相互作用を含む、請求項16に記載の方法。
【請求項１８】
前記ソーシャルネットワーク(160)が、複数のユーザアカウントを有するウェブサイトを含む、請求項16に記載の方法。
【請求項１９】
前記ルータ(140)が、前記ルータ(140)によって設定された前記制御規則(420)に従って、別のモバイルデバイス(102、104、106)が前記ソーシャルネットワーク(160)にアクセスすることを許可するステップをさらに含む、請求項11に記載の方法。
【請求項２０】
前記モバイルデバイス(102、104、106)がソーシャルネットワーク資格情報に基づいて認証された後、前記モバイルデバイス(102、104、106)が任意のタイプのネットワークへのアクセスを許可される、請求項11に記載の方法。
【請求項２１】
モバイルデバイス(102、104、106)であって、
前記モバイルデバイス(102、104、106)に関連するソーシャルプロファイル(302)をルータ(140)に送信して前記モバイルデバイス(102、104、106)を前記ルータ(140)に結合するための手段と、
前記ルータ(140)によって要求されたソーシャルネットワーク資格情報を送信して前記モバイルデバイス(102、104、106)を前記ルータ(140)に認証するための手段と、
前記ルータ(140)による認証に基づいて、前記ルータ(140)によって設定された制御規則(420)に従ってソーシャルネットワーク(160)へのアクセスを許可するための手段と
を備え、
前記ルータ(140)が、前記送信されたソーシャルネットワーク資格情報に関連するソーシャルネットワークデータを取り出し、取り出された前記ソーシャルネットワークデータに基づいて前記モバイルデバイス(102、104、106)とのソーシャル関係を照合して、前記ソーシャル関係に基づいて前記モバイルデバイス(102、104、106)に制御規則(420)を割り当て、
前記ソーシャル関係は、前記ルータ(140)のソーシャルネットワークサーバ上の友人リスト、電子メールサーバ上の連絡先リスト、および、テキストサーバ上のフォローする人のリストのうちの少なくとも１つに、前記モバイルデバイス(102、104、106)が含まれているか否かを含む、
モバイルデバイス(102、104、106)。
【請求項２２】
前記モバイルデバイス(102、104、106)がすでにソーシャルネットワーク(160)にログオンされている場合、前記モバイルデバイス(102、104、106)から前記ソーシャルネットワーク(160)にログイン資格情報を直接渡すための手段をさらに備える、請求項21に記載のモバイルデバイス(102、104、106)。
【請求項２３】
前記モバイルデバイス(102、104、106)がまだソーシャルネットワーク(160)にログオンされていない場合、ユーザがログイン資格情報を入力することを許可されるように、前記モバイルデバイス(102、104、106)を前記ソーシャルネットワーク(160)にリダイレクトするための手段をさらに備える、請求項22に記載のモバイルデバイス(102、104、106)。
【請求項２４】
前記ルータ(140)が、ワイヤレスルータ(140)、有線ルータ(140)、または別のモバイルデバイス(102、104、106)のうちの少なくとも1つを含む、請求項21に記載のモバイルデバイス(102、104、106)。
【請求項２５】
前記ルータ(140)が、概略的に短距離のワイヤレスホットスポットルータ(140)である、請求項21に記載のモバイルデバイス(102、104、106)。
【請求項２６】
前記ソーシャルプロファイル(302)が、電話番号(304)、オープンID(306)、電子メールアドレス(308)、ウェブサイト上のアカウント(312)、またはユーザ名(314)のうちの少なくとも1つを含む、請求項21に記載のモバイルデバイス(102、104、106)。
【請求項２７】
前記ソーシャルプロファイル(302)が、場所(316)、会議(318)、またはカレンダーイベント(320)のうちの少なくとも1つを含む、物理的なソーシャル相互作用を含む、請求項26に記載のモバイルデバイス(102、104、106)。
【請求項２８】
前記ソーシャルネットワーク(160)が、複数のユーザアカウントを有するウェブサイトを含む、請求項26に記載のモバイルデバイス(102、104、106)。
【請求項２９】
前記ルータ(140)によって設定された前記制御規則(420)に従って、別のモバイルデバイス(102、104、106)が前記ソーシャルネットワーク(160)へのアクセスを許可される、請求項21に記載のモバイルデバイス(102、104、106)。
【請求項３０】
前記モバイルデバイス(102、104、106)がソーシャルネットワーク資格情報に基づいて認証された後、前記モバイルデバイス(102、104、106)が任意のタイプのネットワークへのアクセスを許可される、請求項21に記載のモバイルデバイス(102、104、106)。
【請求項３１】
モバイルデバイス(102、104、106)のユーザがソーシャルネットワーク(160)にアクセスすることを可能にするためのコンピュータプログラムであって、
前記モバイルデバイス(102、104、106)が、前記モバイルデバイス(102、104、106)に関連するソーシャルプロファイル(302)をルータ(140)に送信して前記モバイルデバイス(102、104、106)を前記ルータ(140)に結合すること、
前記モバイルデバイス(102、104、106)が、前記ルータ(140)によって要求されたソーシャルネットワーク資格情報を送信し、前記ルータ(140)が、前記モバイルデバイス(102、104、106)を認証すること、および
前記ルータ(140)が、前記ルータ(140)による認証に基づいて、前記ルータ(140)によって設定された制御規則(420)に従って前記ソーシャルネットワーク(160)へのアクセスを許可すること
のためのプロセッサにより実行可能なコードを備え、
前記ルータ(140)が、前記送信されたソーシャルネットワーク資格情報に関連するソーシャルネットワークデータを取り出し、取り出された前記ソーシャルネットワークデータに基づいて前記モバイルデバイス(102、104、106)とのソーシャル関係を照合して、前記ソーシャル関係に基づいて前記モバイルデバイス(102、104、106)に制御規則(420)を割り当て、
前記ソーシャル関係は、前記ルータ(140)のソーシャルネットワークサーバ上の友人リスト、電子メールサーバ上の連絡先リスト、および、テキストサーバ上のフォローする人のリストのうちの少なくとも１つに、前記モバイルデバイス(102、104、106)が含まれているか否かを含む、
コンピュータプログラム。
【請求項３２】
前記モバイルデバイス(102、104、106)がすでにソーシャルネットワーク(160)にログオンされている場合、前記モバイルデバイス(102、104、106)が、前記モバイルデバイス(102、104、106)から前記ソーシャルネットワーク(160)にログイン資格情報を直接渡すためのコードをさらに備える、請求項31に記載のコンピュータプログラム。
【請求項３３】
前記モバイルデバイス(102、104、106)がまだソーシャルネットワーク(160)にログオンされていない場合、前記ユーザがログイン資格情報を入力することを許可されるように、前記ルータ(140)が、前記モバイルデバイス(102、104、106)を前記ソーシャルネットワーク(160)にリダイレクトするためのコードをさらに備える、請求項32に記載のコンピュータプログラム。
【請求項３４】
前記ルータ(140)が、ワイヤレスルータ(140)、有線ルータ(140)、または別のモバイルデバイス(102、104、106)のうちの少なくとも1つを含む、請求項31に記載のコンピュータプログラム。
【請求項３５】
前記ルータ(140)が、概略的に短距離のワイヤレスホットスポットルータ(140)である、請求項31に記載のコンピュータプログラム。
【請求項３６】
前記ソーシャルプロファイル(302)が、電話番号(304)、オープンID(306)、電子メールアドレス(308)、ウェブサイト上のアカウント(312)、またはユーザ名(314)のうちの少なくとも1つを含む、請求項31に記載のコンピュータプログラム。
【請求項３７】
前記ソーシャルプロファイル(302)が、場所(316)、会議(318)、またはカレンダーイベント(320)のうちの少なくとも1つを含む、物理的なソーシャル相互作用を含む、請求項36に記載のコンピュータプログラム。
【請求項３８】
前記ソーシャルネットワーク(160)が、複数のユーザアカウントを有するウェブサイトを含む、請求項36に記載のコンピュータプログラム。
【請求項３９】
前記ルータ(140)によって設定された前記制御規則(420)に従って、別のモバイルデバイス(102、104、106)が前記ソーシャルネットワーク(160)へのアクセスを許可される、請求項31に記載のコンピュータプログラム。
【請求項４０】
前記モバイルデバイス(102、104、106)がソーシャルネットワーク資格情報に基づいて認証された後、前記ルータ(140)が、前記モバイルデバイス(102、104、106)が任意のタイプのネットワークにアクセスすることを許可するためのコードをさらに備える、請求項31に記載のコンピュータプログラム。
【請求項４１】
ルータ(140)であって、
モバイルデバイス(102、104、106)からソーシャルプロファイル(302)を受信するためのインターフェースと、
前記ルータ(140)にソーシャルネットワーク資格情報を送信するように前記モバイルデバイス(102、104、106)に要求し、
ソーシャルネットワーク資格情報に基づいて前記モバイルデバイス(102、104、106)を認証し、
制御規則(420)に従って前記モバイルデバイス(102、104、106)にソーシャルネットワーク(160)へのアクセスを許可する
プロセッサ(112)と
を備え、
前記ルータ(140)が、前記送信されたソーシャルネットワーク資格情報に関連するソーシャルネットワークデータを取り出し、取り出された前記ソーシャルネットワークデータに基づいて前記モバイルデバイス(102、104、106)とのソーシャル関係を照合して、前記ソーシャル関係に基づいて前記モバイルデバイス(102、104、106)に制御規則(420)を割り当て、
前記ソーシャル関係は、前記ルータ(140)のソーシャルネットワークサーバ上の友人リスト、電子メールサーバ上の連絡先リスト、および、テキストサーバ上のフォローする人のリストのうちの少なくとも１つに、前記モバイルデバイス(102、104、106)が含まれているか否かを含む、
ルータ(140)。
【請求項４２】
前記モバイルデバイス(102、104、106)がすでにソーシャルネットワーク(160)にログオンされている場合、ログイン資格情報が前記モバイルデバイス(102、104、106)から前記ソーシャルネットワーク(160)に直接渡される、請求項41に記載のルータ(140)。
【請求項４３】
前記モバイルデバイス(102、104、106)がまだソーシャルネットワーク(160)にログオンされていない場合、ユーザがログイン資格情報を入力することを許可されるように、前記ルータ(140)が前記モバイルデバイス(102、104、106)を前記ソーシャルネットワーク(160)にリダイレクトする、請求項42に記載のルータ(140)。
【請求項４４】
前記ルータ(140)が、ワイヤレスルータ(140)、有線ルータ(140)、または別のモバイルデバイス(102、104、106)のうちの少なくとも1つを含む、請求項41に記載のルータ(140)。
【請求項４５】
前記ルータ(140)が、概略的に短距離のワイヤレスホットスポットルータ(140)である、請求項41に記載のルータ(140)。
【請求項４６】
前記ソーシャルプロファイル(302)が、電話番号(304)、オープンID(306)、電子メールアドレス(308)、ウェブサイト上のアカウント(312)、またはユーザ名(314)のうちの少なくとも1つを含む、請求項41に記載のルータ(140)。
【請求項４７】
前記ソーシャルプロファイル(302)が、場所(316)、会議(318)、またはカレンダーイベント(320)のうちの少なくとも1つを含む、物理的なソーシャル相互作用を含む、請求項41に記載のルータ(140)。
【請求項４８】
前記ソーシャルネットワーク(160)が、複数のユーザアカウントを有するウェブサイトを含む、請求項41に記載のルータ(140)。
【請求項４９】
前記ルータ(140)が、前記ソーシャルネットワーク資格情報および前記ソーシャルネットワークデータをキャッシュする、請求項41に記載のルータ(140)。
【請求項５０】
前記ルータ(140)が、複数の異なるソーシャルネットワーク(160)のうちの少なくとも1つに対する前記モバイルデバイス(102、104、106)のアクセスを許可または拒否する、請求項49に記載のルータ(140)。
【請求項５１】
前記ルータ(140)によって設定された前記制御規則(420)に従って、別のモバイルデバイス(102、104、106)が前記ソーシャルネットワーク(160)へのアクセスを許可される、請求項41に記載のルータ(140)。
【請求項５２】
前記モバイルデバイス(102、104、106)がソーシャルネットワーク資格情報に基づいて認証された後、前記モバイルデバイス(102、104、106)が任意のタイプのネットワークへのアクセスを許可される、請求項41に記載のルータ(140)。
【請求項５３】
モバイルデバイス(102、104、106)のユーザがソーシャルネットワーク(160)にアクセスすることを可能にするための、ルータ(140)に実装されたコンピュータプログラムであって、
前記モバイルデバイス(102、104、106)からソーシャルプロファイル(302)を受信すること、
前記ルータ(140)にソーシャルネットワーク資格情報を送信するように前記モバイルデバイス(102、104、106)に要求すること、
前記ソーシャルネットワーク資格情報に基づいて前記モバイルデバイス(102、104、106)を認証すること、および
制御規則(420)に従って前記モバイルデバイス(102、104、106)にソーシャルネットワーク(160)へのアクセスを許可すること
のためのプロセッサにより実行可能なコードを備え、
前記ルータ(140)が、前記送信されたソーシャルネットワーク資格情報に関連するソーシャルネットワークデータを取り出し、取り出された前記ソーシャルネットワークデータに基づいて前記モバイルデバイス(102、104、106)とのソーシャル関係を照合して、前記ソーシャル関係に基づいて前記モバイルデバイス(102、104、106)に制御規則(420)を割り当て、
前記ソーシャル関係は、前記ルータ(140)のソーシャルネットワークサーバ上の友人リスト、電子メールサーバ上の連絡先リスト、および、テキストサーバ上のフォローする人のリストのうちの少なくとも１つに、前記モバイルデバイス(102、104、106)が含まれているか否かを含む、
コンピュータプログラム。
【請求項５４】
前記モバイルデバイス(102、104、106)がすでにソーシャルネットワーク(160)にログオンされている場合、前記モバイルデバイス(102、104、106)から前記ソーシャルネットワーク(160)にログイン資格情報を直接渡すためのコードをさらに備える、請求項53に記載のコンピュータプログラム。
【請求項５５】
前記モバイルデバイス(102、104、106)がまだソーシャルネットワーク(160)にログオンされていない場合、前記ユーザがログイン資格情報を入力することを許可されるように、前記モバイルデバイス(102、104、106)を前記ソーシャルネットワーク(160)にリダイレクトするためのコードをさらに備える、請求項54に記載のコンピュータプログラム。
【請求項５６】
前記ルータ(140)が、ワイヤレスルータ(140)、有線ルータ(140)、または別のモバイルデバイス(102、104、106)のうちの少なくとも1つを含む、請求項53に記載のコンピュータプログラム。
【請求項５７】
前記ルータ(140)が、概略的に短距離のワイヤレスホットスポットルータ(140)である、請求項53に記載のコンピュータプログラム。
【請求項５８】
前記ソーシャルプロファイル(302)が、電話番号(304)、オープンID(306)、電子メールアドレス(308)、ウェブサイト上のアカウント(312)、またはユーザ名(314)のうちの少なくとも1つを含む、請求項53に記載のコンピュータプログラム。
【請求項５９】
複数の異なるソーシャルネットワーク(160)のうちの少なくとも1つに対する前記モバイルデバイス(102、104、106)のアクセスを許可または拒否するためのコードをさらに備える、請求項53に記載のコンピュータプログラム。
【請求項６０】
前記ルータ(140)によって設定された前記制御規則(420)に従って、別のモバイルデバイス(102、104、106)が前記ソーシャルネットワーク(160)にアクセスすることを許可するためのコードをさらに備える、請求項53に記載のコンピュータプログラム。
【請求項６１】
前記モバイルデバイス(102、104、106)がソーシャルネットワーク資格情報に基づいて認証された後、前記モバイルデバイス(102、104、106)が任意のタイプのネットワークにアクセスすることを許可するためのコードをさらに備える、請求項53に記載のコンピュータプログラム。
【発明の詳細な説明】
【技術分野】
【０００１】
本発明は、一般に、ルータを介したモバイルデバイスのソーシャルネットワークへの認証およびアクセスに関する。
【背景技術】
【０００２】
今日、モバイル電子デバイスの使用が普及している。そのようなモバイル電子デバイスは、ユーザにワイヤレス電話アクセスを提供し、インターネットアクセスを提供し、電子メールアクセスを提供し、テキストメッセージを送信および受信する能力を提供し、ユーザがオンラインショッピングおよびオンラインバンキングなどのオンライン取引を実施することを可能にし、ユーザがソーシャルネットワークにアクセスすること、および特定の場所への地図を探すことなどの他の機能を実行することを可能にすることができる。このように、今日のモバイル電子デバイスは、ワイヤレス通信、ならびに、非モバイルコンピュータシステムに関連するインターネット機能のほとんどすべてを可能にする。そのようなモバイル電子デバイスの例には、モバイルデバイス、スマートフォン、携帯電話、携帯情報端末(PDA)、モバイルコンピュータ、ラップトップコンピュータ、タブレットコンピュータ、ならびに任意の他のタイプのポータブルコンピュータが含まれる。
【０００３】
モバイル電子デバイスの使用は、それらの使いやすさおよび携帯性に起因して普及している。しかしながら、モバイルデバイスの主なジレンマは、音声およびデータの配信および受信のために高速のワイヤレス接続に対するアクセスを取得することである。
【０００４】
モバイルデバイスは、3G/4Gのバックホールを使用してワイヤレスアクセスを得るホットスポットルータ(たとえば、比較的短距離のワイヤレスルータ)をますます利用している。これらのタイプのルータの例には、コンパクトなモバイルWi-Fiホットスポット、または多くのモバイルデバイス自体によって提供される、新たに開かれたテザリング機能が含まれる。現在、これらのタイプのルータの大部分は、3〜5個の同時接続を可能にするにすぎない。しかしながら、より高速のバックホール接続(たとえば、HSPA+、LTE、など)の導入によりバッテリー技術が向上し続けるにつれて、これらのタイプのルータを介して可能な接続の数は増加し続けると考えることができる。
【０００５】
これらのワイヤレスホットスポットルータの使用方式は、他のタイプのアクセスポイントが通常利用される方式とは異なる。具体的には、ワイヤレスホットスポットルータは、通常、従来のアクセスポイントよりも動的な状況で使用され、ワイヤレスホットスポットルータのおかげで、ユーザは通常移動中であり、ワイヤレスホットスポットルータに接続できるユーザの組は、より大きくなり、常に変化している可能性がある。
【０００６】
したがって、ワイヤレスホットスポットルータへのアクセスおよびその使用に対する承認を得るために大量の情報を挿入しなければならないことなどの、非常に多くの割込みなしに、クライアントのモバイルデバイスがワイヤレスホットスポットルータに接続することを可能にする技法を提供することは有益であり得る。しかしながら、同時に、ワイヤレスホットスポットルータへのアクセスは、無認可のユーザがワイヤレスホットスポットルータのデータ帯域幅を使い尽くさないように、セキュアであるべきである。
【発明の概要】
【課題を解決するための手段】
【０００７】
本発明の態様は、モバイルデバイスのユーザがルータを介してソーシャルネットワークにアクセスすることを可能にする装置、システム、および方法に関することができる。モバイルデバイスは、ユーザインターフェースおよびプロセッサを備えることができる。プロセッサは、モバイルデバイスに関連付けられたソーシャルプロファイルをルータに送信してモバイルデバイスをルータに結合することを命令し、ルータによって要求されたソーシャルネットワーク資格情報をルータに送信してモバイルデバイスをルータに認証することを命令するために使用することができる。ルータによる認証に基づいて、モバイルデバイスは、ルータによって設定された制御規則に従ってソーシャルネットワークにアクセスすることを許可される可能性がある。
【図面の簡単な説明】
【０００８】
【図１】モバイルデバイスがルータを介してソーシャルネットワークにアクセスすることを可能にすることに関する本発明の態様を実施することができるシステムのブロック図である。
【図２】モバイルデバイスのユーザがソーシャルネットワークにアクセスすることを可能にするためのプロセスを示す流れ図である。
【図３】モバイルデバイスのユーザがソーシャルネットワークにアクセスすることを認証する一例のブロック図である。
【図４】ソーシャルネットワークにアクセスするためにモバイルデバイスのユーザに制御規則を提供する一例のブロック図である。
【図５】ソーシャルネットワークにアクセスするためにモバイルデバイスのユーザに制御規則を提供する一例のブロック図である。
【発明を実施するための形態】
【０００９】
「例」または「例示的」という単語は、本明細書では、「例、事例、または例示の働きをすること」を意味するために使用される。「例示的」または「例」として本明細書に記載される任意の実施形態は、他の実施形態に比べて好ましいか、または有利であると必ずしも解釈されるべきではない。
【００１０】
本発明の態様によれば、モバイルクライアントデバイスのユーザのソーシャルネットワークとの相互作用は、ワイヤレスホットスポットルータへのアクセスを認証および制御するように活用することができる。特に、ワイヤレスホットスポットルータをテザリングしてソーシャル認証とモバイルクライアントデバイスの状況を照合することは、アクセスが与えられるべきか判定し、アクセスが与えられるべき場合どのレベルのサービスかを判定するために使用することができる。たとえば、クライアントモバイルデバイスの電話番号がワイヤレスホットスポットルータの連絡先リストにある場合、何らかのレベルのアクセスが与えられるべきことを暗示することができる。一方、モバイルクライアントデバイスのユーザがワイヤレスホットスポットルータの所有者に関連するソーシャルネットワーク上の友人である場合、ソーシャルネットワークへのインターネットアクセスなどのより高いレベルのアクセスが提供される。これらのタイプの関連付けは、モバイルクライアントデバイスのユーザへの大量の手動割込みなしに確認することができる。
【００１１】
図1を参照すると、本発明の態様は、モバイルデバイス102のユーザがルータ140を介してソーシャルネットワーク160にアクセスすることを可能にする装置、システム、および方法に関することができる。図1は、本発明の態様を実施できるシステム100のブロック図である。モバイルデバイス102は、ユーザインターフェース126およびプロセッサ112を含むことができる。プロセッサ112は結合エージェント114を実装して、モバイルデバイスに関連付けられたソーシャルプロファイルを、ワイヤレスリンク122を介してルータ140に送信してモバイルデバイス102をルータに結合することを命令し、ルータ140によって要求されたソーシャルネットワーク資格情報を、ワイヤレスリンク122を介してルータ140に送信してモバイルデバイスをルータに認証することを命令することができる。ルータ140による認証に基づいて、モバイルデバイス102は、ルータによって設定された制御規則に従ってソーシャルネットワーク160または別のモバイルデバイス(たとえば、ユーザY104もしくはユーザZ106)にアクセスすることを許可される可能性がある。
【００１２】
一例では、モバイルデバイス102は、ルータ140を介してソーシャルネットワーク160にアクセスすることができる。モバイルデバイス102は、プロセッサ112、メモリ116、送受信機120、ディスプレイデバイス124、およびユーザインターフェース126を含むことができる。ディスプレイデバイス124は、モバイルデバイスによって利用される典型的なディスプレイデバイスであり得ることを諒解されたい。ユーザインターフェース122は、キーパッド、キーボード、または一般にモバイルデバイスとともに使用される別のタイプのユーザインターフェース入力デバイスであり得る。送受信機120は、ワイヤレスリンク122を介して音声およびデータを送信および受信するためにモバイルデバイスとともに使用される典型的な送受信機であり得る。モバイルデバイス102は、任意のタイプのモバイルデバイスであり得るし、それらの例には、スマートフォン、携帯電話、携帯情報端末(PDA)、モバイルコンピュータ、ラップトップコンピュータ、タブレットコンピュータ、任意の他のタイプのポータブルコンピュータなどが含まれることを諒解されたい。
【００１３】
加えて、マイクロフォン(図示せず)、パワーデバイス(図示せず)、ならびにモバイルデバイスの他のよく知られている構成要素が存在する可能性があるが、それらはよく知られているので、簡潔にするために示されない。
【００１４】
詳細には、モバイルデバイス102(たとえば、ユーザX)は、結合エージェント114を実装するための命令を実行するように構成されたプロセッサ112およびメモリ116を含むことができる。メモリ116は、プロセッサ112によって実装するための命令を記憶するために、プロセッサ112に結合することができる。このように、モバイルデバイス102は、結合エージェント114を実装する命令を実行して、モバイルデバイスに関連付けられたソーシャルプロファイルを、ワイヤレスリンク122を介してルータ140に送信してモバイルデバイス102をルータに結合することを命令し、ルータ140によって要求されたソーシャルネットワーク資格情報を、ワイヤレスリンク122を介してルータ140に送信してモバイルデバイスをルータに認証することを命令するように構成することができる。ルータ140による認証に基づいて、モバイルデバイス102は、ルータによって設定された制御規則に従ってソーシャルネットワーク160にアクセスすることを許可される可能性がある。
【００１５】
ルータ140は、モバイルデバイス102とのリンク122を介して音声およびデータを受信および送信し、リンク150を介して音声およびデータを受信および送信するために、送受信機またはモデムなどのインターフェース(I/F)148を含むことができる。リンク150は、有線リンクまたはワイヤレスリンクであり得る。ルータ140は、管理エージェント144を実装するための命令を実行するように構成されたプロセッサ142およびメモリ146を含むことができる。メモリ146は、プロセッサ142によって実装するための命令を記憶するために、プロセッサ142に結合することができる。ルータ140は、管理エージェント144を実装する命令を実行して、リンク122を介してルータにソーシャルネットワーク資格情報を送信するようにモバイルデバイス102に要求し、ソーシャルネットワーク資格情報に基づいてモバイルデバイス102を認証し、I/F148およびリンク150を介したソーシャルネットワーク160ならびに他のモバイルデバイス(たとえば、ユーザY104またはユーザZ106)へのアクセスを許可するように構成される。後述されるように、管理エージェント144の制御下にあるルータ140は、モバイルデバイスから受信されたソーシャルネットワークデータに基づいて、モバイルデバイスに制御規則を割り当てて、異なるタイプのソーシャルネットワークウェブサイト160へのアクセスを許可または拒否することができる。
【００１６】
ルータ140は、ワイヤレスルータ、有線ルータ、またはルータとして働く別のモバイルデバイスであり得ることを諒解されたい。一例として、ルータ140は、概略的に短距離のワイヤレスホットスポットルータであり得る。したがって、ルータ140は以下でワイヤレスホットスポットルータとして記載されるが、任意のタイプのルータが本発明の態様とともに利用することができる。さらに、図1に示されるように、ワイヤレスホットスポットルータ140は、さらに同時に、他のモバイルデバイス104および106(ユーザYおよびZ)に向けて音声およびデータを転送することができる。
【００１７】
一例として、ワイヤレスホットスポットルータ140は、3G/4Gバックホールを利用して、リンク150を介してワイヤレスアクセスを得ることができる。一例として、ワイヤレスホットスポットルータ140は、モバイルWi-Fiホットスポットであり得るか、またはテザリング機能を提供するモバイルデバイス自体であり得る。別の例として、ワイヤレスホットスポットルータ140は、有線リンク150を含むことができる。
【００１８】
後述されるように、本発明の態様によれば、モバイルデバイスのユーザのソーシャルネットワークとの相互作用は、ワイヤレスホットスポットルータ140へのアクセス、ならびにソーシャルネットワークウェブサイト160および機能へのアクセスを認証および制御するように活用することができる。特に、ワイヤレスホットスポットルータ140をテザリングしてソーシャル認証とユーザのモバイルクライアントデバイスの状況を照合することは、アクセスが与えられるべきか判定し、アクセスが与えられるべき場合どのレベルのサービスかを判定するために使用することができる。たとえば、ユーザのモバイルデバイスの電話番号がワイヤレスホットスポットルータ140の連絡先リストにある場合、何らかのレベルのアクセスが与えられるべきことを暗示することができる。一方、モバイルクライアントデバイスのユーザがワイヤレスホットスポットルータ140の所有者のソーシャルネットワーク160上の友人である場合、ソーシャルネットワーク160のウェブサイトへのインターネットアクセスなどのより高いレベルのアクセスが提供される可能性がある。後述されるように、これらのタイプの関連付けは、モバイルデバイスとワイヤレスホットスポットルータ140の両方のユーザへの手動割込みなしに確認することができる。
【００１９】
一例として、一態様では、モバイルデバイス102がすでにソーシャルネットワーク160にログオンされている場合、ログイン資格情報は、ワイヤレスホットスポットルータ140を介してモバイルデバイス102からソーシャルネットワーク160に直接渡される。一方、モバイルデバイス102がまだソーシャルネットワーク160にログオンされていない場合、ワイヤレスホットスポットルータ140は、ユーザがログイン資格情報を入力することを許可されるように、モバイルデバイス102をソーシャルネットワーク160にリダイレクトする。
【００２０】
ソーシャルネットワーク160という用語は広く規定され、複数のユーザアカウントを有するウェブサイト/サーバを含むことができる。「ソーシャルネットワーク」という用語は、その中で「友人」が媒体、写真、テキスト、マルチメディアなどをポスティング/共有することにより、互いにやり取りするソーシャルネットワークサーバ(たとえば、フェースブック)、その中でユーザが互いに電子メールを送信することができる電子メールサーバ、その中で「フォローする人/フォローされる人」がテキストを通信するテキストサーバ(たとえば、ツイッター)、などを含むことができる。しかしながら、「ソーシャルネットワーク」は、電話アクセス(たとえば、VoIP)を提供し、電子メールアクセスを提供し、テキストメッセージを送信および受信する能力を提供し、媒体、写真、テキスト、マルチメディアなどを送信および受信する能力を提供し、ユーザがオンラインショッピングおよびオンラインバンキングなどのオンライン取引を実施すること、ならびに任意の他のタイプのデータ転送機能を実施することを可能にするなどのウェブサイト/サーバを含む、その中でデータが転送される任意のウェブサイト/サーバを含むことができることを諒解されたい。こうして、「ソーシャルネットワーク」という用語は、その中でデータが転送される、複数のユーザアカウントを有する任意のウェブサイト/サーバを含むことができる。
【００２１】
本発明の一態様によれば、ワイヤレスデバイス102のユーザは、ワイヤレスホットスポットルータ140の範囲に入って来る場合がある。プロセッサ112は結合エージェント114を実装して、モバイルデバイスに関連付けられたソーシャルプロファイルを、ワイヤレスリンク122を介してワイヤレスホットスポットルータ140に送信してモバイルデバイス102をルータに結合することを命令し、ワイヤレスホットスポットルータ140によって要求されたソーシャルネットワーク資格情報を、ワイヤレスリンク122を介してルータに送信してモバイルデバイス102をワイヤレスホットスポットルータ140に認証することを命令することができる。ワイヤレスホットスポットルータ140による認証に基づいて、モバイルデバイス102は、ルータによって設定された制御規則に従ってソーシャルネットワーク160または別のモバイルデバイス(たとえば、ユーザY104もしくはユーザZ106)にアクセスすることを許可される可能性がある。さらに、モバイルデバイス102がルータ140によりソーシャルネットワーク資格情報に基づいて認証された後、モバイルデバイス102は、ソーシャルネットワーク160にアクセスすることを許可される可能性があるだけでなく、任意のタイプのネットワーク(たとえば、任意のタイプのインターネットサイト)にアクセスすることを許可される可能性があることを諒解されたい。
【００２２】
一態様では、モバイルデバイス102(ユーザX)はルータ140の所有者であり得るし、ソーシャルプロファイルに基づいてそれ自体をルータ140に結合すること、およびソーシャルネットワーク資格情報に基づいてそれ自体をルータ140に認証することにより、モバイルデバイス102は、ルータ140の所有権を主張し、制御規則を設定および修正することができる。しかしながら、別のコンピューティングデバイスもルータ140に接続することができ、適切な認証の後、同様に制御規則を設定および修正することができる。いくつかの例では、ソーシャルプロファイルは、電話番号、オープンID、電子メールアドレス、ウェブサイト上のアカウント、またはユーザ名のうちの少なくとも1つを含むことができる。さらに、ソーシャルプロファイルは、場所、会議、またはカレンダーイベントのうちの少なくとも1つを含む、物理的なソーシャル相互作用を含むことができる。要求されるソーシャルネットワーク資格情報はまた、ユーザのソーシャルプロファイルに関するデータであり得る。しかしながら、ソーシャルネットワーク資格情報は、パスワード、公開鍵と専用鍵のペア、秘密トークン、などであり得る。これも後述されるように、他のモバイルデバイス104および106(たとえば、ユーザYおよびZ)は、ソーシャルネットワーク資格情報に基づいてそれら自体をルータ140に認証することができ、制御規則に基づいてソーシャルネットワーク160または別のモバイルデバイスにアクセスすることを許可される可能性があるが、それらはルータに結合されておらず、ルータの所有者ではないので、制御規則を変更することはできない。さらに、他のモバイルデバイス104および106がルータ140によりソーシャルネットワーク資格情報に基づいて認証された後、モバイルデバイス104および106は、ソーシャルネットワーク160にアクセスすることを許可される可能性があるだけでなく、任意のタイプのネットワーク(たとえば、任意のタイプのインターネットサイト)にアクセスすることを許可される可能性があることを諒解されたい。
【００２３】
一態様では、より詳細に記載されるように、プロセッサ142の管理エージェント144の制御下にあるワイヤレスホットスポットルータ140は、モバイルデバイスから送信されたソーシャルネットワーク資格情報に関連するソーシャルネットワークデータをメモリ146から取り出すことができる。ワイヤレスホットスポットルータ140は、取り出されたソーシャルネットワークデータに基づいて、モバイルデバイスに制御規則を割り当てることができる。さらに、ワイヤレスホットスポットルータ140は、ソーシャルネットワーク資格情報およびソーシャルネットワークデータをメモリ146にキャッシュすることができる。より詳細には、ワイヤレスホットスポットルータ140は、複数の異なるソーシャルネットワーク160のうちの1つまたは複数へのモバイルデバイスのアクセスを許可または拒否することができる。
【００２４】
モバイルデバイス102(または任意のモバイルデバイス104、106など)およびワイヤレスホットスポットルータ140は、ワイヤレス通信システムの1つまたは複数の基地局(BS)と通信することができることを諒解されたい。ワイヤレス通信システムは、1つまたは複数の基地局コントローラ(BSC)およびコアネットワークをさらに含むことができる。コアネットワークは、適切なバックホールを介して、インターネットおよび公衆交換電話網(PSTN)に接続することができる。モバイルデバイス102およびワイヤレスホットスポットルータ140、これ以降「ワイヤレスデバイス」は、モバイルデバイスおよびルータによって送信され、それらで受信される信号に基づいて、機能を実行する様々な構成要素を含むことができる。ワイヤレスデバイスは、任意の適切なワイヤレス通信技術に基づく、あるいは任意の適切なワイヤレス通信技術をサポートする、1つまたは複数のワイヤレス通信リンクを介して通信することができる。たとえば、いくつかの態様では、ワイヤレスデバイスはネットワークと関連付けることができる。いくつかの態様では、ネットワークは、ボディエリアネットワークまたはパーソナルエリアネットワーク(たとえば、超広帯域ネットワーク)を備えることができる。いくつかの態様では、ネットワークは、ローカルエリアネットワークまたはワイドエリアネットワークを備えることができる。ワイヤレスデバイスは、たとえばCDMA、TDMA、PDMA、SDMA、FDMA、OFDM、OFDMA、WiMAX、Wi-Fi、3G、4G、LTEなどの様々なワイヤレス通信技術、プロトコル、または規格のうちの1つまたは複数をサポートするか、または場合によっては使用することができる。同様に、ワイヤレスデバイスは、様々な対応する変調または多重化方式のうちの1つまたは複数をサポートするか、または場合によっては使用することができる。したがって、ワイヤレスデバイスは、上記または他のワイヤレス通信技術を使用して、1つまたは複数のワイヤレス通信リンクを確立し、それを介して通信するのに適した構成要素(たとえばエアインターフェース)を含むことができる。たとえば、ワイヤレスデバイスは、ワイヤレス媒体を介した通信を容易にする様々な構成要素(たとえば、信号発生器および信号処理器)を含むことができる、関
連する送信機および受信機の構成要素(たとえば、送信機および受信機)を有するワイヤレス送受信機を備えることができる。
【００２５】
図2を簡潔に参照すると、本発明の一態様により、モバイルデバイス102のユーザがソーシャルネットワーク160にアクセスすることを可能にするプロセス200を例示する流れ図が示される。ブロック202で、モバイルデバイス102は、モバイルデバイス102に関連付けられたソーシャルプロファイルをワイヤレスホットスポットルータ140に送信して、モバイルデバイス102をワイヤレスホットスポットルータ140に結合する。ブロック204で、プロセス200は、ワイヤレスホットスポットルータ140によって要求されたソーシャルネットワーク資格情報をルータに送信することにより、モバイルデバイス102をワイヤレスホットスポットルータ140に認証する。ワイヤレスホットスポットルータ140による認証に基づいて、ソーシャルネットワーク160へのアクセスは、ルータによって設定された制御規則に従って、ルータによって許可される(ブロック206)。一態様では、モバイルデバイス102がすでにソーシャルネットワーク160にログオンされている場合(判定ブロック208)、ユーザのログイン資格情報は、モバイルデバイス102からソーシャルネットワーク160に直接渡される(ブロック210)。そうでなければ、ワイヤレスホットスポットルータ140は、ユーザがソーシャルネットワークのウェブページでログイン資格情報を入力することを許可されるように、モバイルデバイス102をソーシャルネットワーク160にリダイレクトする(ブロック212)。
【００２６】
一態様では、モバイルデバイス102のソーシャルプロファイルは、ワイヤレスホットスポットルータ140に送信される。ソーシャルプロファイルは、モバイルデバイスのユーザをワイヤレスホットスポットルータ140のオペレータまたはワイヤレスホットスポットルータ140の他のユーザと一意に同一であると見なす任意のデータを含むことができる。たとえば、ソーシャルプロファイルは、モバイルデバイスのユーザの、ソーシャルネットワークウェブサイト上のアカウント、電子メールアドレス、電話番号、および/または物理的なソーシャル相互作用である場所、会議、カレンダーイベントなどを含むことができる。これらのタイプのソーシャルプロファイル情報のすべては、モバイルデバイス102から容易に取出し可能であり、結合するためにワイヤレスホットスポットルータ140に容易に送信することができる。このプロセスは、結合エージェント114の制御下にあるモバイルデバイス102のプロセッサ112によって実装することができる。さらに、ルータ140によって要求されるソーシャルネットワーク資格情報は、ユーザのソーシャルプロファイルに関するデータであり得る。一例として、モバイルデバイス102は、リンク122を介してワイヤレスホットスポットルータ140にソーシャルプロファイル情報を送信して、モバイルデバイス102がソーシャルネットワークウェブサイトYおよび電子メールサーバZなどのユーザXであることを、ワイヤレスホットスポットルータ140に示すことができる。
【００２７】
次いで、ワイヤレスホットスポットルータ140は、たとえば、ソーシャルネットワークウェブサイト上の友人のリスト、テキストウェブサイト上のフォローする人/フォローされる人、電子メースウェブサイト上で電子メールを交換した友人、電話をかけた、かつ/もしくはテキストメッセージを送信した友人、ユーザが会合をもった友人、ならびに/または、異なる場所および/もしくは異なる時間に予定された会議などの、モバイルデバイス102の他のユーザとのソーシャル関係/相互作用を取り出すおよび/またはキャッシュすることができる。
【００２８】
さらに、モバイルデバイス102は、ワイヤレスホットスポットルータ140によって要求されたソーシャルネットワーク資格情報(たとえば、ソーシャルプロファイルデータ)を送信して、モバイルデバイス102をワイヤレスホットスポットルータ140に認証することにより、ワイヤレスホットスポットルータ140でそれ自体を認証することができる。前述されたように、ソーシャルネットワークアプリケーションがすでにモバイルデバイス102にログオンされている場合、ログイン資格情報は、ワイヤレスホットスポットルータ140によりソーシャルネットワークウェブサイト160に渡すことができる。ユーザがソーシャルネットワークにログオンされていない場合、ワイヤレスホットスポットルータ140でモバイルデバイス102を認証後、モバイルデバイス102は、ワイヤレスホットスポットルータ140によりログイン用のソーシャルネットワークウェブサイトのサービスに向けられる。ユーザはワイヤレスホットスポットルータ140に自分のユーザ名およびパスワードを提供していないので、ユーザがセキュリティ問題を有する必要がないことは有益である。
【００２９】
その上、一態様では、モバイルデバイス102は、バッチ認証用のバッチソーシャルネットワーク信用資格情報を、ワイヤレスリンク122を介してワイヤレスホットスポットルータ140に提供することができ、すべてのモバイルデバイスのソーシャルネットワーク資格情報は、ホストルータのソーシャル状況内のユーザの様々な「役割」を示す。たとえば、モバイルデバイス102は、ワイヤレスホットスポットルータ140で、電子メールアカウント、ソーシャルネットワークアカウント、テキストメッセージアカウント、などをバッチ認証することができる。具体的な一例として、オープンIDは、ユーザをそのユーザの電話行動(電話番号、通話記録、SMS、など)とリンクするために使用することができる。これは、モバイルデバイス102のユーザXが特定のソーシャルネットワーク、電子メースウェブサイト、テキストウェブサイト、電話番号xxx、などと関連付けられていることを、ワイヤレスホットスポットルータ140に知らせるために使用することができる。詳細には、モバイルデバイスユーザの識別情報の認証に成功した後、ワイヤレスホットスポットルータ140は、ユーザをそのホストワイヤレスホットスポットルータ140とのソーシャル関係/相互作用と照合することを開始することができる。この例には、ユーザがホストのソーシャルネットワーク友人リストのうちの1つにあるかどうか、ユーザがホストと電子メールを交換したがどうか、ユーザがホストとの通話をもったがどうか、ユーザが特定の時間/場所でホストとの定期的な会合を有しているかどうか、などを判定することが含まれ得る。
【００３０】
ワイヤレスホットスポットルータ140によるソーシャルネットワーク160へのアクセスは、それらのホストワイヤレスホットスポットルータ140とのソーシャル関係/相互作用に従って、モバイルデバイス102のユーザに許可することができる。ワイヤレスホットスポットルータ140は、様々なソーシャルグループ内のモバイルデバイスのユーザ用アクセス制御規則のリストを維持することができる。たとえば、これらの規則は、所定のソーシャルネットワークのすべての友人がワイヤレスホットスポットルータ140を完全に使用することを可能にすることを含むことができるか、またはある特定のグループ内のユーザ向けの部分的なアクセスまたは制限された帯域幅/アプリケーション用の規則を規定することができる。部分的なアクセスの一例は、ユーザが所定の電子メールサーバへのアクセスしかできないように、ホストワイヤレスホットスポットルータ140と電子メールを交換するだけのユーザ用電子メールトラフィックを許可するだけであり得る。規則はまた、ワイヤレスホットスポットルータ140だけに、ある特定の場所/時間での週次会議に参加するユーザへのアクセスを許可させることなど、時間/場所認識であり得る。このように、ソーシャル関係に基づく多くの異なるタイプの制御規則を実装することができる。これの例は以下で記載される。
【００３１】
図3を参照すると、ソーシャルネットワークにアクセスするためにモバイルデバイス102のユーザを認証する例が記載される。ワイヤレスデバイス102のユーザがワイヤレスホットスポットルータ140の範囲に入って来た場合、モバイルデバイス102はワイヤレスリンク122を介してワイヤレスホットスポットルータ140にソーシャルプロファイル302を送信して、モバイルデバイス102をルータに結合することができる。ソーシャルプロファイル302は、以下の項目のうちの1つまたは複数を含むことができる、電話番号304、オープンID306、電子メールアドレス308、ウェブサイト310(たとえば、ソーシャルネットワークウェブサイト)、ウェブサイト上のアカウント312、ユーザ名314、場所316、会議318、カレンダーイベント320。通常、モバイルデバイスを結合するために、電話番号または最後に訪問したウェブサイトなどのソーシャルプロファイル302のうちのわずか数項目がモバイルデバイス102からワイヤレスホットスポットルータ140に自動的に送信されること、およびこれらの項目の多くは、ワイヤレスホットスポットルータ140によって要求されるソーシャルネットワーク資格情報として使用さることを諒解されたい。
【００３２】
ソーシャルプロファイル302のうちの数項目がワイヤレスホットスポットルータ140によって受信されると、ワイヤレスホットスポットルータ140は、モバイルデバイス102がソーシャルプロファイル302のうちの他のソーシャルネットワーク資格情報を送信して、モバイルデバイス302をワイヤレスホットスポットルータ140に認証することを命令することができる。たとえば、ワイヤレスホットスポットルータ140は、ユーザのユーザ名314、電子メールアドレス308、オープンID306、カレンダーイベント320、などに関するソーシャルネットワーク資格情報を要求することができる。ワイヤレスホットスポットルータ140による認証に基づいて、モバイルデバイス102は、ルータによって設定された制御規則に従ってソーシャルネットワークまたは別のモバイルデバイスにアクセスすることを許可される可能性がある。加えて、モバイルデバイス102がルータ140によりソーシャルネットワーク資格情報に基づいて認証された後、モバイルデバイス102は、ソーシャルネットワークにアクセスすることを許可される可能性があるだけでなく、任意のタイプのネットワーク(たとえば、任意のタイプのインターネットサイト)にアクセスすることを許可される可能性があることを諒解されたい。さらに、前述されたように、モバイルデバイス102(ユーザX)はルータ140の所有者であり得るし、ソーシャルプロファイルに基づいてそれ自体をルータ140に結合すること、およびソーシャルネットワーク資格情報に基づいてそれ自体をルータ140に認証することにより、モバイルデバイス102は、ルータ140の所有権(すなわちホストであること)を主張し、制御規則を設定および修正することができる。一方、他のモバイルデバイス(たとえば、ユーザY104およびZ106)は、モバイルデバイス102(ユーザX)を参照して前述された方式と同様の方式で、ソーシャルネットワーク資格情報に基づいてそれら自体をルータ140に認証することができ、制御規則に基づいてソーシャルネットワーク160または別のモバイルデバイスへのアクセスを許可される可能性がある。ソーシャルネットワークは、ソーシャルネットワークサーバ310、電子メールサーバ320、テキストサーバ330、などを含むことができる。たとえば、ソーシャルネット
ワークサーバ310からのデータはリンク312を介して友人リストに基づくことができ、電子メールサーバ320からのデータはリンク322を介して連絡先リストに基づくことができ、テキストサーバ330からのデータはリンク332を介してフォローする人のリストに基づくことができる。
【００３３】
さらに図4を参照すると、ソーシャルネットワークにアクセスするためにモバイルデバイス102のユーザ(たとえば、ユーザX)に制御規則を提供する例が記載される。ワイヤレスホットスポットルータ140は、ユーザXのモバイルデバイス102から送信されたソーシャルネットワーク資格情報に関連するソーシャルネットワークデータをメモリから取り出すことができる。詳細には、ワイヤレスホットスポットルータ140は、前のユーザXのデータ402を取り出すこと、ならびに新しいユーザXのデータ404(たとえば、新しいソーシャルネットワークデータ資格情報)をメモリにキャッシュすることができる。さらに、ワイヤレスホットスポットルータ140は、取り出された前のユーザXのデータ402およびより新しい送信されたソーシャルネットワーク資格情報に基づいて、モバイルデバイス102に制御規則406を割り当てることができる。より詳細には、ワイヤレスホットスポットルータ140は、割り当てられた制御規則406に基づいて、複数の異なるソーシャルネットワーク310、320、および330のうちの1つまたは複数へのモバイルデバイス102のアクセス408を許可または拒否することができる。
【００３４】
一例として、ワイヤレスホットスポットルータ140は、たとえば、ソーシャルネットワークウェブサイト310上の友人のリスト、テキストウェブサイト330上のフォローする人/フォローされる人、電子メールウェブサイト320上で電子メールを交換した友人などの、ワイヤレスホットスポットルータ140の所有者またはワイヤレスホットスポットルータ140の他のユーザとのモバイルデバイス102のソーシャル関係/相互作用を取り出すことができる。しかしながら、この例では、ワイヤレスホットスポットルータ140は、ユーザXのモバイルデバイス102が所有者であるか、またはホストであるかを判定することができる。
【００３５】
ワイヤレスホットスポットルータ140によるソーシャルネットワークサーバ310、電子メールサーバ320、およびテキストウェブサイト330へのアクセスは、制御規則406に従ってモバイルデバイス102に許可することができる。ワイヤレスホットスポットルータ140は、様々なソーシャルグループ内のモバイルデバイスのユーザ用アクセス制御規則のリストを維持することができる。たとえば、これらの規則は、所定のソーシャルネットワークのすべての友人がワイヤレスホットスポットルータ140を完全に使用することを可能にすることを含むことができるか、またはある特定のグループ内のユーザ向けの部分的なアクセスまたは制限された帯域幅/アプリケーション用の規則を規定することができる。部分的なアクセスの一例は、ユーザが所定の電子メールサーバへのアクセスしかできないように、ホストワイヤレスホットスポットルータ140と電子メールを交換するだけのユーザ用電子メールトラフィックを許可するだけであり得る。ソーシャル関係に基づく多くの異なるタイプの制御規則を実装することができる。しかしながら、この例では、ワイヤレスホットスポットルータ140は、ユーザXのモバイルデバイス102が所有者であるか、またはホストであるかを判定することができ、制御規則に従ってフルアクセスを許可することができる。
【００３６】
より詳細には、ワイヤレスホットスポットルータ140は、取り出されたソーシャルネットワークデータに基づいて、制御規則406を割り当てることができ、割り当てられた制御規則406に基づいて、複数の異なるソーシャルネットワーク310、320、および330のうちの1つまたは複数へのモバイルデバイス102のアクセスを許可または拒否することができる。この例では、制御規則420は、規則1 422-モバイルデバイス102のユーザXはソーシャルネットワークサーバ310へのフルアクセスを有する、規則2 424-モバイルデバイス102のユーザXは1つだけの電子メールサーバ320への部分アクセスを有する、規則3 426-ユーザXはテキストサーバ330へのアクセスを有していない、を含む。これらの規則は、所定のソーシャルネットワークのすべての友人がワイヤレスホットスポットルータ140を完全に使用することを可能にすること、ワイヤレスホットスポットルータ140の所有者が連絡先である電子メールサーバのみへの電子メールアクセスをユーザが許可される、電子メールへの部分アクセスを提供すること、および関係するフォローする人またはフォローされる人がいないテキストサーバへのアクセスを提供しないことに基づくことができる。
【００３７】
ソーシャル関係に基づく多くの異なるタイプの制御規則は、ワイヤレスホットスポットルータ140の所有者の考慮に依存して実装することができ、ワイヤレスホットスポットルータ140の所有者によってプログラムできることを諒解されたい。したがって、ワイヤレスホットスポットルータ140の所有者は、モバイルクライアントデバイス102との関連付けに依存して、サービスが許可されるべきかどうか、およびどのレベルのサービスが許可されるべきかを特に制御することができる。この特定の例では、モバイルデバイス102(ユーザX)はルータ140の所有者(またはホスト)であり得るし、ソーシャルプロファイルに基づいてそれ自体をルータ140に結合すること、およびソーシャルネットワーク資格情報に基づいてそれ自体をルータ140に認証することにより、モバイルデバイス102は、ルータ140の所有権を主張し、制御規則420を設定および修正することができる。一方、他のモバイルデバイス(たとえば、ユーザY104およびZ106)は、ソーシャルネットワーク資格情報に基づいてそれら自体をルータ140に認証することができ、制御規則に基づいてソーシャルネットワーク160または別のモバイルデバイスにアクセスすることを許可される可能性があるが、ユーザY104およびZ106はルータ140に結合されておらず、ルータ140の所有者ではないので、制御規則420を変更することはできない。
【００３８】
さらに図5を参照すると、ソーシャルネットワークにアクセスするためにモバイルデバイス104および106のユーザ(たとえば、ユーザYおよびZ)に制御規則を提供する例が記載される。ワイヤレスホットスポットルータ140は、モバイルデバイス104および106(ユーザYおよびZ)から送信されたソーシャルネットワーク資格情報に関連するソーシャルネットワークデータをメモリから取り出すことができる。詳細には、ワイヤレスホットスポットルータ140は、前のユーザY、Zのデータ402を取り出すこと、ならびに新しいユーザY、Zのデータ404(たとえば、新しいソーシャルネットワークデータ資格情報)をメモリにキャッシュすることができる。さらに、ワイヤレスホットスポットルータ140は、取り出された前のユーザY、Zのデータ402およびより新しい送信されたソーシャルネットワーク資格情報に基づいて、モバイルデバイス104および106(ユーザYおよびZ)に制御規則406を割り当てることができる。より詳細には、ワイヤレスホットスポットルータ140は、割り当てられた制御規則406に基づいて、複数の異なるソーシャルネットワーク310、320、および330のうちの1つまたは複数へのモバイルデバイス104および106(ユーザYおよびZ)のアクセス408を許可または拒否することができる。しかしながら、他のモバイルデバイス104および106がルータ140によりソーシャルネットワーク資格情報に基づいて認証された後、モバイルデバイス104および106は、ルータ140により特定のソーシャルネットワークにアクセスすることを許可される可能性があるだけでなく、任意のタイプのネットワーク(たとえば、任意のタイプのインターネットサイト)にアクセスすることを許可される可能性があることを諒解されたい。
【００３９】
一例として、ワイヤレスホットスポットルータ140は、たとえば、ソーシャルネットワークウェブサイト310上の友人のリスト、テキストウェブサイト330上のフォローする人/フォローされる人、電子メールウェブサイト320上で電子メールを交換した友人などの、ワイヤレスホットスポットルータ140の所有者またはワイヤレスホットスポットルータ140の他のユーザとのモバイルデバイス104(ユーザY)のソーシャル関係/相互作用を取り出すことができる。特定の一例として、ユーザYのユーザ名は、ユーザをワイヤレスホットスポットルータ140にリンクするために使用することができ、このモバイルデバイス104のユーザYが特定のソーシャルネットワークサーバ310、電子メールサーバ320、またはテキストウェブサイト330に関連付けられていることをワイヤレスホットスポットルータ140に知らせるために使用することができる。詳細には、モバイルデバイスユーザの識別情報の認証に成功した後、ワイヤレスホットスポットルータ140は、ユーザをワイヤレスホットスポットルータ140のホスト/所有者、またはワイヤレスホットスポットルータ140の他のユーザとのそのソーシャル関係/相互作用と照合することを開始することができる。この例には、ユーザがソーシャルネットワークサーバ310のホストのソーシャルネットワークの友人リストのうちの1つにあるかどうか、ユーザが電子メールサーバ320上のホストと電子メールを交換したかどうか、またはホストがテキストウェブサイト330上のフォローする人/フォローされる人であるかどうかを判定することが含まれ得る。
【００４０】
ワイヤレスホットスポットルータ140によるソーシャルネットワークサーバ310、電子メールサーバ320、およびテキストウェブサイト330へのアクセスは、制御規則406に従ってモバイルデバイス104または106(ユーザYおよびZ)に許可することができる。ワイヤレスホットスポットルータ140は、様々なソーシャルグループ内のモバイルデバイスのユーザ用アクセス制御規則のリストを維持することができる。たとえば、これらの規則は、所定のソーシャルネットワークのすべての友人がワイヤレスホットスポットルータ140を完全に使用することを可能にすることを含むことができるか、またはある特定のグループ内のユーザ向けの部分的なアクセスまたは制限された帯域幅/アプリケーション用の規則を規定することができる。部分的なアクセスの一例は、ユーザが所定の電子メールサーバへのアクセスしかできないように、ホストワイヤレスホットスポットルータ140と電子メールを交換するだけのユーザ用電子メールトラフィックを許可するだけであり得る。ソーシャル関係に基づく多くの異なるタイプの制御規則を実装することができる。
【００４１】
詳細には、ワイヤレスホットスポットルータ140は、取り出されたソーシャルネットワークデータに基づいて、制御規則406を割り当てることができ、割り当てられた制御規則406に基づいて、複数の異なるソーシャルネットワーク310、320、および330のうちの1つまたは複数へのモバイルデバイス104または106(ユーザYおよびZ)のアクセスを許可または拒否することができる。この例では、制御規則420は、規則1 422-モバイルデバイス104および106のユーザYおよびZはソーシャルネットワークサーバ310へのフルアクセスを有する、規則2 424-モバイルデバイス104および106のユーザYおよびZは1つだけの電子メールサーバ320への部分アクセスを有する、規則3 426-モバイルデバイス104および106のユーザYおよびZはテキストサーバ330へのアクセスを有していない、を含む。これらの規則は、所定のソーシャルネットワークのすべての友人がワイヤレスホットスポットルータ140を完全に使用することを可能にすること、ワイヤレスホットスポットルータ140の所有者が連絡先である電子メールサーバのみへの電子メールアクセスをユーザが許可される、電子メールへの部分アクセスを提供すること、および関係するフォローする人またはフォローされる人がいないテキストサーバへのアクセスを提供しないことに基づくことができる。ソーシャル関係に基づく多くの異なるタイプの制御規則は、ワイヤレスホットスポットルータ140の所有者の考慮に依存して実装することができ、ワイヤレスホットスポットルータ140の所有者によってプログラムできることを諒解されたい。したがって、ワイヤレスホットスポットルータ140の所有者は、モバイルクライアントデバイス102との関連付けに依存して、サービスが許可されるべきかどうか、およびどのレベルのサービスが許可されるべきかを特に制御することができる。
【００４２】
詳細には、前述されたように、モバイルクライアントデバイスのユーザのソーシャルネットワークとの相互作用は、ワイヤレスホットスポットルータ140へのアクセスを認証および制御するように活用することができる。特に、ワイヤレスホットスポットルータ140をテザリングしてソーシャル認証とモバイルクライアントデバイスのユーザの状況を照合することは、アクセスが与えられるべきか判定し、アクセスが与えられるべき場合どのレベルのサービスかを判定するために使用することができる。たとえば、クライアントモバイルデバイスの電話番号がワイヤレスホットスポットルータ140の連絡先リストにある場合、簡単な低いレベルのアクセスが与えられるべきことを暗示することができる。一方、モバイルクライアントデバイスのユーザがワイヤレスホットスポットルータ140の所有者に関連するソーシャルネットワーク310上の友人である場合、ソーシャルネットワーク160へのインターネットアクセスなどのより高いレベルのアクセスが提供される。これらのタイプの関連付けは、モバイルクライアントデバイスのユーザへの大量の手動割込みなしに確認することができる。
【００４３】
前述されたように、本発明の実施形態は、モバイルデバイス102のプロセッサ112、ならびに/またはワイヤレスホットスポットルータ140のプロセッサ142、ならびに/またはモバイルデバイス102およびワイヤレスホットスポットルータ140の他の回路、ならびに/または他のデバイスによる命令の実行とともに実装できることを理解されたい。詳細には、モバイルデバイス102およびワイヤレスホットスポットルータ140の回路は、プロセッサ112および142を含むがこれらに限定されず、プログラムの制御、ルーチン、または本発明の実施形態による方法もしくはプロセスを実行するための命令の実行の下で動作することができる。たとえば、そのようなプログラムは、(たとえば、メモリおよび/または他のロケーションに記憶されている)ファームウェアまたはソフトウェア内に実装でき、プロセッサ112および142などのプロセッサ、ならびに/または他の回路によって実装することができる。さらに、プロセッサ、マイクロプロセッサ、回路、コントローラなどの用語は、論理、コマンド、命令、ソフトウェア、ファームウェア、機能などを実行することが可能な任意のタイプの論理または回路を指すことを諒解されたい。さらに、モバイルデバイス102およびワイヤレスホットスポットルータ140は、モバイルデバイスまたはワイヤレスデバイスとして利用されるとき、任意のワイヤレス通信技術に基づくか、または場合によっては任意のワイヤレス通信技術をサポートする、1つまたは複数のワイヤレス通信リンクを介して通信することができる。
【００４４】
本明細書の教示は、様々な装置(たとえば、デバイス)に組み込む(たとえば、それらの装置内に実装するか、またはそれらの装置によって実施する)ことができる。たとえば、本明細書で教示された1つまたは複数の態様は、電話(たとえば、携帯電話)、携帯情報端末(「PDA」)、エンターテインメントデバイス(たとえば、音楽デバイスもしくはビデオデバイス)、ヘッドセット(たとえば、ヘッドフォン、イヤピースなど)、マイクロフォン、医療用デバイス(たとえば、生体センサ、心拍数モニタ、歩数計、EKGデバイスなど)、ユーザI/Oデバイス(たとえば、時計、リモートコントロール、照明スイッチ、キーボード、マウスなど)、コンピュータ、POSデバイス、エンターテインメントデバイス、セットトップボックス、または任意の他の適切なデバイスに組み込むことができる。
【００４５】
いくつかの態様では、ワイヤレスデバイスは、通信システム用のアクセスデバイス(たとえば、Wi-Fiアクセスポイント)を備えることができる。そのようなアクセスデバイスは、たとえば、有線またはワイヤレスの通信リンクを介した、別のネットワーク(たとえば、インターネットまたはセルラーネットワークなどのワイドエリアネットワーク)への接続を提供することができる。したがって、アクセスデバイスは、別のデバイス(たとえば、Wi-Fi局)が他のネットワークまたは何らかの他の機能にアクセスすることを可能にすることができる。さらに、デバイスのうちの1つまたは両方は携帯型であるか、または場合によっては比較的非携帯型であり得ることを諒解されたい。
【００４６】
情報および信号は、様々な異なる技術および技法のいずれかを使用して表現できることを、当業者は理解されよう。たとえば、上記の説明全体にわたって言及できるデータ、命令、コマンド、情報、信号、ビット、シンボル、およびチップは、電圧、電流、電磁波、磁場もしくは磁性粒子、光場もしくは光学粒子、またはそれらの任意の組合せによって表現することができる。
【００４７】
本明細書で開示された実施形態に関連して記載された様々な例示的な論理ブロック、モジュール、回路、およびアルゴリズムステップは、電子ハードウェア、コンピュータソフトウェア、または両方の組合せとして実装できることを、当業者はさらに諒解されよう。ハードウェアとソフトウェアのこの互換性を明確に示すために、様々な例示的な構成要素、ブロック、モジュール、回路、およびステップが、概してそれらの機能に関して上述された。そのような機能をハードウェアとして実装するか、ソフトウェアとして実装するかは、特定の適用例および全体的なシステムに課される設計制約に依存する。当業者は、記載された機能を特定の適用例ごとに様々な方法で実装できるが、そのような実装の決定は、本発明の範囲からの逸脱を生じるものと解釈すべきではない。
【００４８】
本明細書で開示された実施形態に関連して記載された様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または、本明細書に記載された機能を実行するように設計されたそれらの任意の組合せで、実装または実行することができる。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装することができる。
【００４９】
本明細書で開示された実施形態に関連して記載された方法またはアルゴリズムのステップは、直接ハードウェアで具現化されるか、プロセッサによって実行されるソフトウェアモジュールで具現化されるか、またはその2つの組合せで具現化することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体内に常駐することができる。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はASIC内に常駐することができる。ASICはユーザ端末内に常駐することができる。代替として、プロセッサおよび記憶媒体は、ユーザ端末内に個別構成要素として常駐することができる。
【００５０】
1つまたは複数の例示的な実施形態では、記載された機能は、ハードウェア、ソフトウェア、ファームウェア、またはそれらの任意の組合せに実装することができる。コンピュータプログラム製品としてソフトウェアに実装された場合、機能は、1つまたは複数の命令またはコードとして、コンピュータ可読媒体上に記憶されるか、またはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用される場合、ディスク(disk)およびディスク(disc)は、コンパクトディスク(CD)、レーザディスク、光ディスク、デジタル多用途ディスク(DVD)、フレキシブルディスク、およびブルーレイディスクを含み、ディスク(disk)は、通常、磁気的にデータを再生し、ディスク(disc)は、レーザで光学的にデータを再生する。上記の組合せもコンピュータ可読媒体の範囲内に含めるべきである。
【００５１】
開示された実施形態の上記の説明は、いかなる当業者も本発明を作成または使用できるようにするために提供される。これらの実施形態への様々な修正が当業者には容易に明らかになり、本明細書に定義された一般原理は、本発明の趣旨または範囲を逸脱することなしに他の実施形態に適用することができる。したがって、本発明は、本明細書に示された実施形態に限定されるものではなく、本明細書で開示された原理および新規の特徴に一致する最大の範囲を与えられるものである。
【符号の説明】
【００５２】
100  システム
102  モバイルデバイス
104  モバイルデバイス
106  モバイルデバイス
112  プロセッサ
114  結合エージェント
116  メモリ
120  送受信機
122  ワイヤレスリンク
124  ディスプレイデバイス
126  ユーザインターフェース
140  ルータ
142  プロセッサ
144  管理エージェント
146  メモリ
148  インターフェース(I/F)
150  リンク
160  ソーシャルネットワーク
200  プロセス
202  モバイルデバイスに関連付けられたソーシャルプロファイルを送信して、モバイルデバイスをルータに結合する
204  ルータによって要求されたソーシャルネットワーク資格情報を送信することにより、モバイルデバイスをルータに認証する
206  ルータによって設定された制御規則に従って、ルータを介したソーシャルネットワークへのアクセスを許可する
208  モバイルデバイスがすでにソーシャルネットワークアプリケーションにログオンされているか?
210  ログイン資格情報がモバイルデバイスからソーシャルネットワークに直接渡される
212  ユーザがログイン資格情報を入力することを許可されるように、モバイルデバイスをソーシャルネットワークにリダイレクトする
302  ソーシャルプロファイル
304  電話番号
306  オープンID
308  電子メールアドレス
310  ウェブサイト
312  ウェブサイト上のアカウント
314  ユーザ名
316  場所
318  会議
320  カレンダーイベント
310  ソーシャルネットワークサーバ
312  リンク
320  電子メールサーバ
322  リンク
330  テキストサーバ
332  リンク
402  前のユーザのデータを取り出す
404  新しいユーザのデータをキャッシュする
406  制御規則を割り当てる
408  ネットワークサーバへのアクセスを許可または拒否する
420  制御規則
422  規則1  ソーシャルネットワークサーバへのフルアクセス
424  規則2  読取り専用アクセス  電子メールサーバへの部分アクセス
426  規則3  テキストサーバへのアクセスなし
【図１】
0005914666.tif 000002
【図２】
0005914666.tif 000003
【図３】
0005914666.tif 000004
【図４】
0005914666.tif 000005
【図５】
0005914666.tif 000006